(57)【要約】【課題】テレビ機能を有する電話機に回線交換方式を用いて動画像を配信する動画配信システムを提供する。【解決手段】テレビ電話機能を有する複数の電話機と、電話機と回線交換方式により接続して音声及び動画像を送受信する回線交換機と、回線交換機に接続されて音声及び動画像からなるコンテンツを提供するコンテンツ配信装置と、から構成され、回線交換機は、発呼要求した各電話機と一つの代表電話番号に対応した異なる電話番号の所定数の回線にコンテンツを配信するコンテンツ配信装置とを接続し、コンテンツ配信装置は、回線交換機を介して接続された電話機に所定のコンテンツを配信する。【選択図】図１
2012023568.tif 000002
【特許請求の範囲】
【請求項１】
テレビ電話機能を有する複数の電話機と、
前記電話機と回線交換方式により接続して音声及び動画像を送受信する回線交換機と、
前記回線交換機に接続されて音声及び動画像からなるコンテンツを提供するコンテンツ配信装置と、から構成され、
前記回線交換機は、発呼要求した各電話機と一つの代表電話番号に対応した異なる電話番号の所定数の回線に前記コンテンツを配信する前記コンテンツ配信装置とを接続し、
前記コンテンツ配信装置は、前記回線交換機を介して接続された前記電話機に所定のコンテンツを配信することを特徴とする動画配信システム。
【請求項２】
前記コンテンツ配信装置は、前記回線交換機を介して前記電話機と接続し、
前記電話機からテレビ電話機能により送信された音声及び動画像を保存するコンテンツ保存手段と、
前記コンテンツ保存手段で保存された音声及び動画像からなるコンテンツを前記電話機に配信するコンテンツ配信手段と、を有することを特徴とする請求項１に記載の動画配信システム。
【請求項３】
前記コンテンツ配信装置は、前記回線交換機を介して予め登録された電話機を所定の日時に呼び出し、自動着信設定された該電話機に所定のコンテンツを配信するスケジュール配信手段を有することを特徴とする請求項１に記載の動画配信システム。
【発明の詳細な説明】
【技術分野】
【０００１】
本発明は、動画配信システムに関し、より詳細には、テレビ電話機能を有する電話機に動画像を配信する動画配信システムに関する。
【背景技術】
【０００２】
現在、音楽、音声、写真、ビデオ映像、アニメーション等のコンテンツを、デスクトップ型やノート型等のＰＣ（パーソナルコンピュータ）、携帯電話やスマートフォン等の携帯端末装置に向けて、Ｗｅｂブラウザや専用のアプリケーションを用いて配信するシステムが普及している。
【０００３】
これらの配信システムの情報伝達手段には殆どパケット交換方式が用いられているが、携帯電話等のような無線通信資源に制限がある場合には、通信に要する費用が問題になっている。
【０００４】
一方、ＰＳＴＮ（公衆交換電話）網を経由して受信したテレビ電話端末からのテレビ電話映像をインターネット上で動画として閲覧可能とする動画蓄積配信方法としては、特許文献１の例が挙げられるが、インターネット上に動画配信するため、携帯電話やＰＣでの閲覧はやはりパケット交換方式になる。
【先行技術文献】
【特許文献】
【０００５】
【特許文献１】特開２０１０−８８１３０号公報
【発明の概要】
【発明が解決しようとする課題】
【０００６】
本発明は、上記従来の問題に鑑みてなされたものであって、本発明の目的は、テレビ機能を有する電話機に回線交換方式を用いて動画像を配信する動画配信システムを提供することを目的とする。
【課題を解決するための手段】
【０００７】
上記目的を達成するためになされた本発明の動画配信システムは、テレビ電話機能を有する複数の電話機と、前記電話機と回線交換方式により接続して音声及び動画像を送受信する回線交換機と、前記回線交換機に接続されて音声及び動画像からなるコンテンツを提供するコンテンツ配信装置と、から構成され、前記回線交換機は、発呼要求した各電話機と一つの代表電話番号に対応した異なる電話番号の所定数の回線に前記コンテンツを配信する前記コンテンツ配信装置とを接続し、前記コンテンツ配信装置は、前記回線交換機を介して接続された前記電話機に所定のコンテンツを配信することを特徴とする。
前記コンテンツ配信装置は、前記回線交換機を介して前記電話機と接続し、前記電話機からテレビ電話機能により送信された音声及び動画像を保存するコンテンツ保存手段と、前記コンテンツ保存手段で保存された音声及び動画像からなるコンテンツを前記電話機に配信するコンテンツ配信手段と、を有することが好ましい。
前記コンテンツ配信装置は、前記回線交換機を介して予め登録された電話機を所定の日時に呼び出し、自動着信設定された該電話機に所定のコンテンツを配信するスケジュール配信手段を有し得る。
【発明の効果】
【０００８】
本発明によれば、テレビ電話機能を用いてビデオ映像等の動画を配信するように構成したので、特定の電話番号宛に電話をかけるという操作のみで動画を取得することができ、テレビ電話機能を有する帯電話の場合、複雑な操作を回避できるという効果がある。
【図面の簡単な説明】
【０００９】
【図１】本発明の一実施形態による動画配信システムの概略構成図である。
【図２】図１に示す動画配信システムの再生時の流れの一例を示す説明図である。
【図３】図１に示す動画配信システムの録画時の流れの一例を示す説明図である。
【図４】図１に示す動画配信システムの録画時の流れの他の例を示す説明図である。
【図５】図１に示す動画配信システムの録画時の流れの更に他の例を示す説明図である。
【図６】図１に示す動画配信システムの一斉配信時の流れの一例を示す説明図である。
【図７】図１に示す動画配信システムの一斉配信時の流れの他の例を示す説明図である。
【図８】図１に示す動画配信システムの情報登録時の流れの一例を示す説明図である。
【図９】図１に示す動画配信システムの情報登録時の流れの他の例を示す説明図である。
【図１０】図１に示す動画配信システムの情報登録時の流れの更に他の例を示す説明図である。
【図１１】本発明の一実施形態による動画配信システムの再生時の一例の処理フロー図である。
【発明を実施するための形態】
【００１０】
以下、本発明の動画配信システムを実施するための形態の具体例を、図面を参照しながら詳細に説明する。
【００１１】
図１は、本発明の一実施形態による動画配信システムの概略構成図であり、以下、テレビ電話機能を備えた携帯電話を配信対象にした例を基に説明する。
【００１２】
図１を参照すると、本発明の一実施形態による動画配信システムにおいて、テレビ（ＴＶ）電話機能を有する複数の携帯電話２ａは、基地局及び携帯電話通信網３ａを介してＩＳＤＮ（サービス総合デジタル網）を含むＰＳＴＮ（公衆交換電話網）４と接続される。ＰＳＴＮ４にはテレビ電話機として複数のＩＳＤＮ専用端末２ｃも接続される。本実施形態では、ＰＳＴＮ４と回線交換機１１はＩＳＮ１５００で接続され２３×ｎ回線の通話を可能とする。
【００１３】
本実施形態による動画配信システムにおけるコンテンツ配信システム（回線交換機及びコンテンツ配信装置）１００にはテレビ電話機能を有する複数の携帯電話２ａ及び専用端末２ｃがＰＳＴＮ４を介して接続され、各携帯電話２ａ及び専用端末２ｃと回線交換機１１を介して回線接続される。コンテンツ配信システム１００は、コンテンツ保存手段により、音声（音楽）及び動画（映像）を含むコンテンツをファイルサーバ（ＦＴＰサーバ）１４に保存し、コンテンツ配信手段により、要求があった各携帯電話２ａ及び専用端末２ｃに回線交換機１１を介して保存されたコンテンツを配信する。回線交換機１１は、代表番号機能を有し、複数の異なる電話番号の回線を所定のコンテンツを配信するために割り当てることができ、利用状況に応じて同一のコンテンツをそれぞれの電話回線に割り当てることで、輻輳を避けるようにする。
【００１４】
トランスコーダ１２は、エンコード／デコード（符号化／復号化）やトランスコードにより音声及び動画のフォーマット変換を行うもので、ファイルサーバ１４に動画ファイルを保存する際や、ファイルサーバ１４から動画ファイルを取出しテレビ電話として送信する際に用い、主にリアルタイムトランスコードを担う。携帯電話２ａと専用端末２ｃでは解像度、フレームレート、フォーマット等が異なり、例えば携帯電話２ａでは、６４ｋｂｐｓの回線交換方式によりＱＣＩＦサイズ（１７６×１４４ピクセル）、１５フレーム／秒で動画を扱い、専用端末２ｃでは、ＩＮＳ６４の２Ｂチャンネルの６４ｋｂｐｓ×２ｃｈによりＨ．３２０プロトコル等を用いて最大７０４×４０８ピクセルの画像を扱う。音声符号化方式には、電話音声を対象としたＧ．７１１や広帯域音声のＧ．７２２を用いる。また、後述するインターネット配信の際にもＨ．３２３や高圧縮なＡＶＣ／Ｈ．２６４映像ストリーム等を用いたリアルタイム変換を行う。
【００１５】
コンテンツ配信システム１００は、テレビ電話機能を持たない携帯電話２ｂやスマートフォン等とＷｅｂブラウザや専用アプリケーションを用いて動画の授受ができるようにＷｅｂサーバ１７と動画配信用のストリーミングサーバ１３を備える。また無線ＬＡＮ、ＡＤＳＬやＦＴＴＨ等によりインターネット接続可能なスマートフォンやＰＣ（パーソナルコンピュータ）と音声及び画像の授受を行うＳＩＰ（Ｓｅｓｓｉｏｎ  Ｉｎｉｔｉａｔｉｏｎ  Ｐｒｏｔｏｃｏｌ）サーバ１８を備える。
【００１６】
テレビ電話機能を持たない複数の携帯電話２ｂは、基地局及び携帯電話通信網３ｂを介してインターネット５と接続され、コンテンツ配信システム１００とインターネット５を介してパケット交換方式により接続される。インターネット５にはコンテンツ配信システム１００の各種情報を遠隔処理するための管理ＰＣ６が接続される。
【００１７】
コンテンツ配信システム１００には、他に、電話機（携帯電話２ａ、２ｂ及び専用端末２ｃ）と連絡情報を授受するためのメールサーバ１６、電話機２ａ〜２ｃとの音声自動応答機能を備えたＣＴＩ（Ｃｏｍｐｕｔｅｒ  Ｔｅｌｅｐｈｏｎｙ  Ｉｎｔｅｇｒａｔｉｏｎ）２０、主に顧客情報を保存するデータベース（ＤＢ）サーバ１５、顧客情報及びコンテンツ配信システム１００内の装置等を管理するための管理サーバ２１、上記コンテンツ配信システム１００の機能を司り、所定日時に動画を自動配信するスケジュール配信手段等を機能させるアプリケーションサーバ１９が含まれる。ＤＢサーバ１５には、顧客情報として発番、パスワード、着番等が保存される。
【００１８】
上記各種サーバ、コンテンツ保存手段、コンテンツ配信手段等を備えたコンテンツ配信システム１００は、ワークステーションや市販のＰＣを用いて構成でき、図示していないＣＰＵ、ＭＰＵ等の中央処理装置、メモリ、ハードディスク等の記憶装置、キーボードやマウス等の入力装置、画像やテキスト等を表示する表示装置、及び通信手段や、これらを構成するＭＰＵ、メモリ、ハードディスク等の記憶装置、画像やテキスト等を表示する表示装置、キーボードやマウス等の入力装置、及び通信に関する入出力装置等（通信手段）の説明及びその構成図面は省略する。また、各種装置、手段、サーバは必ずしもそれぞれが分離されて構成されたものではなく一つのＰＣ等の装置内に複数の機能を実装して構成することもできる。
【００１９】
図２〜図１０は、図１に示す動画配信システムの再生、録画、一斉配信、情報登録のそれぞれの動作の流れの例を示す説明図である。
【００２０】
図２は、図１に示す動画配信システムの再生時の流れの一例を示す説明図である。
【００２１】
図２を参照すると、先ず、テレビ電話機能を備えた携帯電話２ａは、ユーザが所望する動画を受信するために指定された電話番号に電話を架けることで、コンテンツ配信システム１００に（１）動画閲覧要求を行う。コンテンツ配信システム１００は、基地局及び携帯電話通信網３ａとＰＳＴＮ４及び回線交換機１１を介して動画閲覧要求を受けると、発呼のあった電話機の電話番号をＤＢサーバ１５に照会して（２）発番チェックを行う。発番号が登録済みの電話番号であることが確認されるとファイルサーバ１４に保存された該当する動画ファイルを指定し、回線交換機１１を介して動画を配信できるように（３）動画ファイル準備を行う。動画配信の準備が整うと、コンテンツ配信システム１００の回線交換機１１は、トランスコーダ１２と連携して動画ファイルを対応する携帯電話２ａの動画フォーマットに適合した形式に変換しながら携帯電話２ａに（４）動画配信する。
【００２２】
テレビ電話機能を持たない携帯電話２ｂは、ユーザが所望する動画を受信するために指定されたＵＲＬにアクセスしてＷｅｂブラウザを操作することで、コンテンツ配信システム１００に（１）動画閲覧要求を行う。コンテンツ配信システム１００は、基地局及び携帯電話通信網３ｂとインターネット５を介して動画閲覧要求を受けると、ファイルサーバ１４に保存された該当する動画ファイルを指定し、インターネット５を介して動画を配信できるように（２）動画ファイル準備を行う。動画配信の準備が整うと、コンテンツ配信システム１００のＷｅｂサーバは、ストリーミングサーバ１３と連携して動画ファイルを対応する携帯電話２ｂの動画フォーマット、例えばＡＶＣ／Ｈ．２６４映像ストリームに変換しながら携帯電話２ｂに（３）動画配信する。
【００２３】
図３〜図５は、図１に示す動画配信システムの録画時の流れの例を示す説明図であり、図３はテレビ電話機能を備えた携帯電話２ａの場合、図４はテレビ電話機能を持たない携帯電話２ｂからＷｅｂ画面上で操作しアップロードする場合、図５はテレビ電話機能を持たない携帯電話２ｂからメールに添付して送付する場合又はＰＣ７からＷｅｂ画面上で操作しアップロードする場合の一例である。
【００２４】
図３を参照すると、テレビ電話機能を備えた携帯電話２ａは、ユーザが動画を保存するために指定された電話番号に電話を架けることで、コンテンツ配信システム１００に（１）録画作業要求を行う。コンテンツ配信システム１００は、基地局及び携帯電話通信網３ａとＰＳＴＮ４及び回線交換機１１を介して録画作業要求を受けると、発呼のあった電話機の電話番号をＤＢサーバ１５に照会して（２）発番チェックを行う。発番号が登録済みの電話番号であることが確認されると、回線交換機１１を介してファイルサーバ１４に保存する動画ファイルを受信及び保存できるように（３）ファイル準備を行う。ユーザが（４）ガイダンスに従って携帯電話２ａにより（５）録画作業を行い、携帯電話２ａから録画データが送信されると、コンテンツ配信システム１００の回線交換機１１は、トランスコーダ１２と連携して録画データをファイルサーバ１４に保存する動画フォーマットに適合した形式に変換しながらファイルサーバ１４又は一時記憶領域（図示せず）に（６）一時的なファイルとして取り込む。コンテンツ配信システム１００から録画保存の（７）確認メッセージ又は確認画面が携帯電話２ａに送信され、ユーザが確認操作をすることで携帯電話２ａから（８）保存指示が送信される。保存指示を受信したコンテンツ配信システム１００は、一時的なファイルとして取り込まれた録画ファイルを恒久データとしてファイルサーバ１４に（９）保存蓄積する。
【００２５】
図４を参照すると、テレビ電話機能を持たない携帯電話２ｂは、ユーザが動画を保存するために指定されたＵＲＬにアクセスしてＷｅｂブラウザを操作することで、コンテンツ配信システム１００に（１）録画作業要求を行う。コンテンツ配信システム１００は、基地局及び携帯電話通信網３ｂとインターネット５を介して録画作業要求を受信すると、発呼のあった電話機の電話番号をＤＢサーバ１５に照会して（２）発番チェックを行う。発番号が登録済みの電話番号であることが確認されると、Ｗｅｂサーバ１７を介してファイルサーバ１４に保存する動画ファイルを受信及び保存できるように（３）ファイル準備を行う。ユーザが（４）ガイダンスに従って携帯電話２ｂにより（５）録画作業を行い、携帯電話２ｂから録画データが送信されると、コンテンツ配信システム１００のＷｅｂサーバ１７は、録画データをファイルサーバ１４又は一時記憶領域（図示せず）に（６）一時的なファイルとして取り込む。Ｗｅｂサーバ１７から録画保存の（７）確認メッセージ又は確認画面が携帯電話２ｂに送信され、ユーザが確認操作をすることで携帯電話２ｂから（８）保存指示が送信される。保存指示を受信したコンテンツ配信システム１００は、Ｗｅｂサーバ１７を介して一時的なファイルとして取り込まれた録画ファイルを恒久データとしてファイルサーバ１４に（９）保存蓄積する。
【００２６】
図５を参照すると、ＰＣ７は、携帯電話２ａ、２ｂによるリアルタイム録画の代わりに予め録画した画像データをコンテンツ配信システム１００に保存することができる。ユーザが動画を保存するために指定されたＵＲＬにアクセスしてＷｅｂブラウザを操作することで、コンテンツ配信システム１００に（１）録画データの登録要求をする。その際、予め登録した対応する携帯電話２ａ、２ｂの発番号も入力し送信する。コンテンツ配信システム１００は、インターネット５を介して録画データ登録要求及び発番号を受信し、電話機の発番号をＤＢサーバ１５に照会して（２）発番チェックを行う。発番号が登録済みの電話番号であることが確認されると、Ｗｅｂサーバ１７を介してＰＣ７から録画データを受信し、ファイルサーバ１４に（３）ファイル保存する。
【００２７】
テレビ電話機能を持たない携帯電話２ｂからは、予め録画した画像データをメールの添付ファイルとしてコンテンツ配信システム１００に保存することができる。ユーザが動画を保存するために指定されたメールアドレスに宛てて（１）録画データをメールに添付して送信する。コンテンツ配信システム１００はメールサーバ１６を介して受信した携帯電話２ｂの発番号をＤＢサーバ１５に照会して（２）発番チェックを行う。発番号が登録済みの電話番号であることが確認されると、メールサーバ１６を介して携帯電話２ｂから受信した録画データを、ファイルサーバ１４に（３）ファイル保存する。
【００２８】
図６、図７は、図１に示す動画配信システムの一斉配信時の流れの例を示す説明図であり、図６は携帯電話２ａ、２ｂにメールで電話番号及びＵＲＬを通知する場合、図７はテレビ電話機能を備えた携帯電話２ａには直接動画を配信し、テレビ電話機能を持たない携帯電話２ｂにはメールで通知する場合の一例である。
【００２９】
図６を参照すると、コンテンツ配信システム１００は、スケジュール配信手段により定期的にＤＢサーバ１５を参照して対象となる登録者の配信先を検索し、予め設定された配信指定日時になると回線交換機１１を介した動画一斉配信の（１）日時指定配信先を確認する。また、併せてメールサーバ１６に動画受信のための電話番号及びＷｅｂ参照のためのＵＲＬを掲載した（２）配信メールの準備をさせる。メールサーバ１６は、メール配信準備が整うと対象となる登録者の携帯電話２ａ、２ｂに電話番号及びＵＲＬを通知する（３）メールを一斉配信する。携帯電話２ａ、２ｂは、メールを受信し、ユーザが指定された電話番号に電話を架けるか又はＷｅｂブラウザより指定されたＵＲＬを入力すると、コンテンツ配信システム１００に回線交換機１１又はＷｅｂサーバ１７を介して（４）動画閲覧要求を行う。コンテンツ配信システム１００は、回線交換機１１又はＷｅｂサーバ１７を介して要求された携帯電話２ａ、２ｂの電話番号をＤＢサーバ１５に照会して（５）発番チェックを行う。発番号が登録済みの電話番号であることが確認されるとファイルサーバ１４に保存された一斉配信用の動画ファイルを指定し、回線交換機１１又はＷｅｂサーバ１７を介して動画を配信できるように（６）動画ファイル準備を行う。動画配信の準備が整うと、コンテンツ配信システム１００は、回線交換機１１の場合、トランスコーダ１２と連携して動画ファイルを対応する携帯電話２ａの動画フォーマットに適合した形式に変換しながら携帯電話２ａに（７）動画配信し、Ｗｅｂサーバ１７の場合、ストリーミングサーバ１３と連携して動画ファイルを対応する携帯電話２ｂの動画フォーマットに変換しながら携帯電話２ｂに（７）動画配信する。
する。
【００３０】
図６では、テレビ機能を備えた携帯電話２ａを、Ｗｅｂブラウザを備えた携帯電話２ｂとして機能させ、ＰＳＴＮ４又はインターネット５のどちらかをユーザが選択できるようにした例について説明したが、図７は、テレビ機能を備えた携帯電話２ａとテレビ電話機能を持たない携帯電話２ｂとを区別して配信する例を示している。図７を参照すると、コンテンツ配信システム１００は、スケジュール配信手段により定期的にＤＢサーバ１５を参照して対象となる登録者の配信先を検索し、予め設定された配信指定日時になると、テレビ機能を備えた携帯電話２ａに対しては回線交換機１１を介した動画一斉配信の（１）日時指定配信先を確認する。また、テレビ機能を持たない携帯電話２ｂに対してはメールサーバ１６にＷｅｂ参照のためのＵＲＬを掲載した（２）配信メールの準備をさせる。テレビ機能を持たない携帯電話２ｂの場合、メールサーバ１６は、メール配信準備が整うと対象となる登録者の携帯電話２ｂにＵＲＬを通知する（３）メールを一斉配信する。携帯電話２ｂは、メールを受信し、ユーザがＷｅｂブラウザより指定されたＵＲＬを入力すると、コンテンツ配信システム１００にＷｅｂサーバ１７を介して（４）動画閲覧要求を行う。一方、回線交換機１１は、ファイルサーバ１４に保存された一斉配信用の動画ファイルを指定し、回線交換機１１を介して動画を配信できるように（２）動画ファイル準備を行う。動画配信の準備が整うと、コンテンツ配信システム１００は、回線交換機１１の場合、トランスコーダ１２と連携して動画ファイルを対応する携帯電話２ａの動画フォーマットに適合した形式に変換しながら携帯電話２ａに（３）動画配信し、Ｗｅｂサーバ１７の場合、ストリーミングサーバ１３と連携して動画ファイルを対応する携帯電話２ｂの動画フォーマットに変換しながら携帯電話２ｂに（５）動画配信する。
【００３１】
図８〜図１０は、図１に示す動画配信システムの情報登録時の流れの例を示す説明図であり、図８は一般の電話機による場合、図９は、テレビ電話機能による場合、図１０はＷｅｂブラウザによる場合の一例である。
【００３２】
図８を参照すると、携帯電話２ａ、２ｂ又は一般の電話機２ｄは、ＰＳＴＮ４を介してユーザが情報を登録、変更するために指定された電話番号に電話を架けることで、コンテンツ配信システム１００に（１）編集作業要求を行う。コンテンツ配信システム１００は、回線交換機１１を介して編集作業要求を受けると、発呼のあった電話機の電話番号をＤＢサーバ１５に照会して（２）発番チェックを行う。発番号が登録済みの電話番号であることが確認されると、回線交換機１１とＣＴＩ２０とを接続して（３）音声ラインに切り替え、音声自動応答処理をさせる。ＣＴＩ２０は、携帯電話２ａ又は一般電話２ｄと会話をして（４）音声認識による登録情報の変更処理を行い、ＤＢサーバ１５又はファイルサーバ１４の該当する情報又はファイルの更新、登録処理を行う。処理される内容としては、契約者情報、登録者情報の変更、登録、削除、一斉配信日時の指定等が挙げられる。本実施形態においてこれらの登録は発番号、パスワード、着番号の組み合わせで可能になる。
【００３３】
図９を参照すると、テレビ電話機能を備えた携帯電話２ａは、ユーザが情報を登録、変更するために指定された電話番号に電話を架け、テレビ電話機能を活用してコンテンツ配信システム１００に（１）編集作業要求を行う。コンテンツ配信システム１００は、回線交換機１１を介して編集作業要求を受けると、発呼のあった電話機の電話番号をＤＢサーバ１５に照会して（２）発番チェックを行う。発番号が登録済みの電話番号であることが確認されると、コンテンツ配信システム１００は、回線交換機１１を介してテレビ電話機能を活用し、アプリケーションサーバ１９によりユーザにＤＢサーバ１５又はファイルサーバ１４の該当する情報又はファイルの（３）編集作業を行わせ、契約者情報、登録者情報の変更、登録、削除、一斉配信日時の指定等を行う。
【００３４】
図１０を参照すると、ＰＣ７又はテレビ電話機能を持たない携帯電話２ｂは、ユーザが情報を登録、変更するために指定されたＵＲＬにアクセスしてＷｅｂブラウザを操作することで、コンテンツ配信システム１００に（１）編集作業要求を行う。ＰＣ７の場合は予め登録した対応する携帯電話２ａ、２ｂの発番号も入力し送信する。コンテンツ配信システム１００は、Ｗｅｂサーバ１７を介して編集作業要求及び発番号を受信し、電話機の発番号をＤＢサーバ１５に照会して（２）発番チェックを行う。発番号が登録済みの電話番号であることが確認されると、コンテンツ配信システム１００は、Ｗｅｂサーバ１７を介してユーザにＤＢサーバ１５又はファイルサーバ１４の該当する情報又はファイルの（３）編集作業を行わせ、契約者情報、登録者情報の変更、登録、削除、一斉配信日時の指定等を行う。
【００３５】
図１１は、本発明の一実施形態による動画配信システムの再生時の一例の処理フロー図であり、テレビ電話機能を有する電話機を対象にした再生時の処理の一例である。
【００３６】
図１１を参照すると、先ず、ユーザが電話機を操作して所望する動画を受信するために指定された電話番号に電話を架けると、コンテンツ配信システム１００は、受信した電話番号がテレビ電話機能を有するか否かを判断する（ステップＳ１０１）。一般電話の場合は切断終了し、テレビ電話の場合は非通知設定がなされているか否かを判断する（ステップＳ１０２）。非通知設定がなされていた場合は切断終了し、通知設定の場合は着信処理をする。
【００３７】
コンテンツ配信システム１００は、着信後、アプリケーションサーバ１９により、テレビ電話機能を作動させ、冒頭ガイダンス（ステップＳ１０３）及び操作ガイダンス（Ｓ１０４）をテレビ電話機に送信する。ユーザが操作ガイダンスに従って電話機の操作ボタン（１）を押下すると、さらにガイダンスが表示されて（ステップＳ１０６）具体的なテレビ電話による動画配信についての説明がなされる。ガイダンス表示を１０秒以上放置すると自動的に切断終了する（ステップＳ１０６）。ステップＳ１０４の操作ガイダンス表示中にユーザが操作ボタン（２）を押下すると動画１が配信され（ステップＳ１０７）、操作ボタン（３）を押下すると動画２が配信される（ステップＳ１０８）。本実施例では、動画１及び２の配信は各１回ずつ可能であり、２回続けて受信しようとすると（ステップＳ１０９）、制限回数オーバーのガイダンスが表示されて切断終了する（ステップＳ１１０）。動画１又は２を１回再生した後に動画２又は１を１回再生することが可能である。また、動画の種類数は２に限らず適宜増加することが可能である。
【００３８】
最後に、本発明による動画配信システムの応用（アプリケーション）例について説明する。動画配信システムの応用例としては、タイムサービス、在宅介護者安否確認サービス、ビデオレターサービス等の例が挙げられる。
【００３９】
タイムサービスは、飲食店、スーパーマーケット等の各種店舗で、主に客の入りが減る時間帯や商品割引を行う時間帯に登録会員に通知して動画配信する。テレビ電話番号は、店舗に入らなくても見えるように、看板やポスター、チラシ等に掲載する。飲食店、スーパーマーケット等の各種店舗は、配信する動画をコンテンツ配信システム１００にテレビ電話機能又はＷｅｂブラウザを利用して予めファイルサーバ１４に録画しておく。録画されるとメールサーバ１６を介して録画確認メールが登録会員に通知される。ユーザは掲載された電話番号にテレビ電話を架けて動画を受信する。店舗は、店舗の広告と共にテレビ電話の電話番号に自動発信するリンクを埋め込んだメールを予め登録した日時にユーザに配信することもできる。自動発信するリンクとして３次元コードを用いてもよい。
【００４０】
在宅介護者安否確認サービスは、コンテンツ配信システム１００からテレビ電話機能を備えた携帯電話２ａに宛てて自動発信され、携帯電話２ａが着信すると所定時間、例えば数十秒程度の動画ガイダンスが流れる。被介護者が切断処理するか又は所定時間経過後にコンテンツ配信システム１００側からタイムアウトによる切断処理をする。テレビ電話による被介護者側の映像はファイルサーバ１４に録画ファイルとして自動保存され、保存後、指定された介護者の電話番号にコンテンツ配信システム１００から１回呼び出しを行う。介護者は、呼び出しを受けた電話機に残された着信履歴を電話帳に登録することができる。携帯電話２ａからリダイヤルすることで、録画された動画を見ることができる。被介護者の携帯電話２ａを自動着信設定しておき、カメラを被介護者に向けておくことで、被介護者の介入なしにその様子を確認することができる。このサービスは、例えばペットの留守時確認サービスとしても使用できる。
【００４１】
ビデオレターサービスは、動画メッセージを録画しておくことで、家族、親族、友人が好きな時間にその動画を閲覧することができる。携帯電話２ａから指定先電話番号に宛ててテレビ電話を架けると、コンテンツ配信システム１００は着信後にガイダンスを携帯電話２ａに送出して録画番号をプッシュボタンでユーザに入力させ、プッシュボタンの押下により録画が開始され、所定時間後、例えば数十秒後に切断される。テレビ電話の映像はファイルサーバ１４に録画ファイルとして自動保存され、保存後、指定された配信先の電話番号にコンテンツ配信システム１００から１回呼び出しを行う。閲覧者は、呼び出しを受けた電話機に残された着信履歴を電話帳に登録することができる。携帯電話２ａからリダイヤルすることで、録画された動画を見ることができる。このサービスは、例えば注文住宅の現場状況録画等にも利用できる。録画された画像の再生は、呼び出しを受けた電話機だけではなく、許可された登録者がテレビ電話画面から選択できるようにしてもよい。
【００４２】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００４３】
２ａ〜２ｄ    電話機（携帯電話）
３ａ、３ｂ    携帯電話通信網
４    ＰＳＴＮ（公衆交換電話網）
５    インターネット
６    管理ＰＣ
７    ＰＣ
１１    回線交換機
１２    トランスコーダ
１３    ストリーミングサーバ
１４    ファイルサーバ
１５    ＤＢサーバ
１６    メールサーバ
１７    Ｗｅｂサーバ
１８    ＳＩＰサーバ
１９    アプリケーションサーバ
２０    ＣＴＩ
２１    管理サーバ
１００    コンテンツ配信システム
【図１】
2012023568.tif 000003
【図２】
2012023568.tif 000004
【図３】
2012023568.tif 000005
【図４】
2012023568.tif 000006
【図５】
2012023568.tif 000007
【図６】
2012023568.tif 000008
【図７】
2012023568.tif 000009
【図８】
2012023568.tif 000010
【図９】
2012023568.tif 000011
【図１０】
2012023568.tif 000012
【図１１】
2012023568.tif 000013